(57)【要約】 【課題】  電磁弁への不純物の侵入を防止する。【解決手段】  冷凍回路３０において、凝縮器３２から出て電磁弁３７Ａ，３７Ｂに向かう冷媒管路３６の途中位置の内部に磁石７５が嵌着される。磁石７５は、中心孔７６を有する比較的厚肉の環形状で、装着管７２の内周に嵌着される。装着管７２の両端に、冷媒管路３６の両分断端７１が内側に緊密に嵌合され、溶接等によって接続される。磁石７５の中心孔７６の口径ｄは、冷媒管路３６の口径Ｄよりも小さく設定される。流通する冷媒中に混じった金属粉等の磁性不純物ｘは、磁石７５に吸着されて捕捉される。オリフィス効果により磁石７５の手前で冷媒の流速が落とされることで、不純物ｘがより確実に捕捉され、電磁弁３７Ａ，３７Ｂへの不純物ｘの噛み込みが防止される。また冷媒の流速が落ちることで凝縮時間が長く取られ、冷媒の液化が促進される。【選択図】  図６
2006275413.tif 000002
【特許請求の範囲】
【請求項１】
冷媒が流通する冷媒管路の途中に、冷媒の流通と停止とを制御する電磁弁を設けた冷凍回路において、
前記冷媒管路内における前記電磁弁の上流位置には、前記冷媒管路の口径よりも小さい口径の通孔を有する磁石が嵌着されていることを特徴とする冷凍回路。
【請求項２】
圧縮機、凝縮器を含む共通の冷凍装置に対し、電磁弁、減圧装置及び蒸発器を直列接続した組が複数並列に循環接続され、電磁弁の開閉により各蒸発器への冷媒の供給と停止とを独立して制御するようにした冷凍回路において、
前記各電磁弁の入口に接続された分岐部の上流側の冷媒管路内には、前記冷媒管路の口径よりも小さい口径の通孔を有する磁石が嵌着されていることを特徴とする冷凍回路。
【請求項３】
前記各電磁弁の入口に接続された接続管が立ち上げられて液溜め部が形成されるとともに、前記各接続管の上端側に前記分岐部が設けられていることを特徴とする請求項２記載の冷凍回路。
【発明の詳細な説明】
【技術分野】
【０００１】
本発明は、電磁弁により冷媒の供給と停止とを制御する機能を備えた冷凍回路に関する。
【背景技術】
【０００２】
従来、冷却貯蔵庫の一例として、圧縮機、凝縮器を含む共通の冷凍装置に対し、電磁弁、キャピラリチューブ及び蒸発器を直列接続した組が２組並列に循環接続されて、各蒸発器が独立した貯蔵室に配設され、電磁弁の開閉により各蒸発器への冷媒の供給と停止とを制御することで、各貯蔵室をそれぞれ異なった設定温度に冷却するようにしたものが知られている（例えば、特許文献１）。
【特許文献１】特開２００２−２７７０８１公報
【発明の開示】
【発明が解決しようとする課題】
【０００３】
ところで冷凍回路の冷媒中にはコンタミネーション（残留不純物）が混入している場合があり、通常はドライヤやストレイナに設けられたフィルタで除去するようになってはいるが、冷媒が流通する際の抵抗を考慮するとフィルタの目を細かくするには制限があり、よって細かいコンタミネーションの捕捉には限界がある。  
一方、電磁弁は、文字通り電磁力によりプランジャを動作させて開閉するものであるため、上記の捕捉し切れなかったコンタミネーションのうち、特に金属粉等の磁性を有する不純物を呼び寄せる可能性が高く、例えば同不純物が弁座で噛み込んで完全に閉じ切れないといった事態を招くおそれがある。そうすると冷媒の洩れが生じて、設定温度を超えてもなお冷却が継続されるという問題が残り、その対策が切望されていた。  
本発明は上記のような事情に基づいて完成されたものであって、その目的は、電磁弁への不純物の侵入を防止するところにある。
【課題を解決するための手段】
【０００４】
上記の目的を達成するための手段として、請求項１の発明は、冷媒が流通する冷媒管路の途中に、冷媒の流通と停止とを制御する電磁弁を設けた冷凍回路において、前記冷媒管路内における前記電磁弁の上流位置には、前記冷媒管路の口径よりも小さい口径の通孔を有する磁石が嵌着されている構成としたところに特徴を有する。
【０００５】
請求項２の発明は、圧縮機、凝縮器を含む共通の冷凍装置に対し、電磁弁、減圧装置及び蒸発器を直列接続した組が複数並列に循環接続され、電磁弁の開閉により各蒸発器への冷媒の供給と停止とを独立して制御するようにした冷凍回路において、前記各電磁弁の入口に接続された分岐部の上流側の冷媒管路内には、前記冷媒管路の口径よりも小さい口径の通孔を有する磁石が嵌着されているところに特徴を有する。
請求項３の発明は、請求項２に記載のものにおいて、前記各電磁弁の入口に接続された接続管が立ち上げられて液溜め部が形成されるとともに、前記各接続管の上端側に前記分岐部が設けられているところに特徴を有する。
【発明の効果】
【０００６】
＜請求項１の発明＞
冷媒中に混じった金属粉等の磁性を有する不純物は、電磁弁の手前で磁石に吸着されて捕捉される。特に磁石が、冷媒管路の口径よりも小さい口径の通孔を有する形状であるから、オリフィス効果によって磁石の手前で冷媒の流速が落とされ、磁性不純物がより確実に捕捉される。その結果、電磁弁への磁性不純物の噛み込みが阻止され、正確に動作させることができる。また、オリフィス効果によって磁石の手前で冷媒の流速が落ちるということは、それだけ冷媒の凝縮時間が長く取れ、冷媒の液化を促進することができる。さらに、磁石の通孔の口径を変えることで、冷媒の液化状態を制御することができる。
【０００７】
＜請求項２の発明＞
金属粉等の磁性を有する不純物は、各電磁弁に分岐される手前の位置で磁石によって捕捉される。特に磁石が、冷媒管路の口径よりも小さい口径の通孔を有する形状であるから、オリフィス効果によって磁石の手前で冷媒の流速が落とされ、磁性不純物がより確実に捕捉される。もって各電磁弁への磁性不純物の噛み込みが阻止され、正確に動作させることができる。  
また、オリフィス効果によって磁石の手前で冷媒の流速が落ちるということは、それだけ冷媒が凝縮器を流通する間の時間が長くなり、その結果冷媒の液化が促進される。したがって、減圧装置がキャピラリチューブの場合に、冷媒ガスが電磁弁からキャピラリチューブに行き難くなる。キャピラリチューブでは、冷媒ガスが混じるとそれが抵抗となって液冷媒が流通することの妨げとなり、言い換えると液冷媒の必要な流量が確保できなくて冷却不良に繋がるおそれがあるが、この発明では、冷媒の液化が促進されてキャピラリチューブに対して必要な量の液冷媒を供給することができ、所定の冷却性能を発揮させることができる。
減圧装置が膨張弁であった場合も、冷媒ガスが混じると膨張機能を損ねて冷却不良に繋がるおそれがあるが、確実に液冷媒が供給されることで正規の膨張機能を発揮することができる。
【０００８】
＜請求項３の発明＞
冷媒は電磁弁の入口から立ち上がった接続管に対して、上方から流し込まれる構造であるから、冷媒ガスが混じっていた場合にはそれを接続管の上方に逃がしつつ液冷媒のみが液溜め部に溜められ、そこから液冷媒が電磁弁を通って減圧装置へと導入される。ここで、立ち上がった接続管に落とし込まれる冷媒自体が、液化が促進された状態とされるから、液溜め部には多量の液冷媒が溜められる。そのためキャピラリチューブには、継続して液冷媒のみを供給することができて抵抗なく流通させることができ、結果、液冷媒の必要な流量をより確実に確保できて、安定した冷却性能を発揮することができる。膨張弁も正規の膨張機能を発揮できる。
【発明を実施するための最良の形態】
【０００９】
以下、本発明の実施形態を添付図面に基づいて説明する。  
＜実施形態１＞
以下、本発明の実施形態１を図１ないし図７に基づいて説明する。この実施形態では、横型（テーブル型）の冷凍冷蔵庫を例示している。  
図１ないし図３において、符号１０は冷凍冷蔵庫の本体であって、前面に開口した横長の断熱箱体により構成され、底面の四隅に設けられた脚１１によって支持されている。本体１０の内部は、後付けされる断熱性の仕切壁１２によって左右に仕切られ、左の相対的に狭い側が冷凍室１４Ａ、右の広い側が冷蔵室１４Ｂとなっている。冷凍室１４Ａの前面の開口には揺動式の断熱扉１５が、冷蔵室１４Ｂの前面の開口には観音開き式の断熱扉１６がそれぞれ装着されている。
【００１０】
本体１０の正面から見た左側部には、機械室１８が設けられている。機械室１８は、側面、背面及び底面にパネルが張られ、また本体１０側から延出された天板１９が配されることで、前面が開口した箱形に形成されている。  
機械室１８内の上部の奥側には、冷凍室１４Ａと連通した断熱性の蒸発器室２０Ａが張り出し形成されているとともに、その下方には、後記する冷凍ユニット６３が出し入れ可能に収納される収納スペース２１が設けられている。また仕切壁１２の冷蔵室１４Ｂ側の面には、ダクト２３を張ることで別の蒸発器室２０Ｂが形成されている。
【００１１】
冷凍回路３０は、図４に示すように、圧縮機３１の出口側に凝縮器ファン３３付きの凝縮器３２が接続され、その下流側に、ドライヤ３４とストレイナ３５とが順次に接続されている。ストレイナ３５の下流側の冷媒管路３６には、電磁弁３７Ａ，３７Ｂと、キャピラリチューブ３８Ａ，３８Ｂと、蒸発器３９Ａ，３９Ｂとを直列接続した冷凍側と冷蔵側との冷媒流通配管４０Ａ，４０Ｂが並列に設けられ、圧縮機３１の入口側に還流接続されている。ここで、冷凍側のキャピラリチューブ３８Ａの方が、冷蔵側のキャピラリチューブ３８Ｂよりも長さが大きく取られている。  
図３に示すように、冷凍側の蒸発器３９Ａが、冷凍室１４Ａ側の蒸発器室２０Ａ内に庫内ファン４１Ａとともに装備され、冷蔵側の蒸発器３９Ｂが、冷蔵室１４Ｂ側の蒸発器室２０Ｂ内に、同様に庫内ファン４１Ｂとともに装備されている。
【００１２】
ストレイナ３５の下流側の冷媒管路３６に対して両電磁弁３７Ａ，３７Ｂを接続する部分の構造は、以下のようである。電磁弁３７Ａ，３７Ｂは同様の構造であって、図４の左側（冷凍側）の電磁弁３７Ａを例に採ると、図５の実線に示すように、常には可動鉄心４３（プランジャ）に設けられた弁体４４がコイルばね４５の付勢力で弁口４６を閉じており、一方コイル４７に通電して励磁すると、同図の鎖線に示すように、可動鉄心４３がコイルばね４５の付勢力に抗して固定鉄心４８側に吸引されることで弁口４６が開放される構造である。  
電磁弁３７Ａ，３７Ｂは、入口ポートに嵌着された入口管４９を互いに反対側を向けた姿勢で、かつ冷凍側の電磁弁３７Ａの方が冷蔵側の電磁弁３７Ｂよりも低い位置に配される。
【００１３】
ストレイナ３５の下流側の冷媒管路３６は、図４に示すように、両電磁弁３７Ａ，３７Ｂよりも高い位置まで立ち上げられたのち水平に曲げられ、さらに先端が下方に、ただし下端が所定角度（１０°程度）同図の左側に振った姿勢に曲げられており、その先端にチーズ５２（Ｔ字管）が取り付けられている。  
一方、２本の接続管５３Ａ，５３Ｂが備えられており、ともに縦管部５４の上下両端に屈曲部５５を設けた構造であるが、冷凍側の電磁弁３７Ａと接続される接続管５３Ａの縦管部５４の方が、冷蔵側の電磁弁３７Ｂと接続される接続管５３Ｂのそれよりも、２倍程度長くされている。また、長い方の接続管５３Ａの上側の屈曲部５５は右側に向けて下り勾配の姿勢に、一方、短い方の接続管５３Ｂの上側の屈曲部５５は、同じ角度で左側に向けて上り勾配の姿勢に形成されている。
【００１４】
長い方の接続管５３Ａの上下の屈曲部５５が、チーズ５２の横向きの一端（図４の左端）と、冷凍側の電磁弁３７Ａの入口管４９とに接続され、短い方の接続管５３Ｂの上下の屈曲部５５が、チーズ５２の反対向きの他端と、冷蔵側の電磁弁３７Ｂの入口管４９に接続されている。  
上記した各接続管５３Ａ，５３Ｂから対応する電磁弁３７Ａ，３７Ｂの入口管４９にわたる部分が、液冷媒を溜める液溜め部５７Ａ，５７Ｂを構成しており、したがって冷凍側の液溜め部５７Ａの方が冷蔵側の液溜め部５７Ｂよりも長さが大きく設定されている。なお、両接続管５３Ａ，５３Ｂの上側の屈曲部５５同士が、全体として右下がりの直線に繋がるような構造としたのは、所定スペース内において、冷凍側の接続管５３Ａの縦管部５４と、冷蔵側の接続管５３Ｂの縦管部５４、すなわち冷凍側の液溜め部５７Ａと冷蔵側の液溜め部５７Ｂの長さの差をより大きく採ることができるようにするためである。なお、上側の屈曲部５５を傾斜させた場合、より冷媒を流したい方に冷媒を流すことができる。
また、各電磁弁３７Ａ，３７Ｂの出口ポート５０には、対応するキャピラリチューブ３８Ａ，３８Ｂの端部に設けられた接続管５６が接続されている。
【００１５】
冷凍回路３０の構成部材のうち、圧縮機３１、凝縮器３２、凝縮器ファン３３、ドライヤ３４、ストレイナ３５及び電磁弁３７Ａ，３７Ｂは、図２に一部を示すように、基台６０上に搭載されてユニット化されている。それに対して機械室１８の収納スペース２１の底面には、上記した基台６０が出し入れ可能に載置される底板６１が張られている。冷凍ユニット６３を搭載した基台６０は、収納スペース２１の底板６１上に前方から押し込まれ、ねじ６４によって固定されている。  
それとともに、冷凍回路３０を形成するために、両蒸発器３９Ａ，３９Ｂの入口側に接続されて引き出されたキャピラリチューブ３８Ａ，３８Ｂが対応する電磁弁３７Ａ，３７Ｂに接続されるとともに、両蒸発器３９Ａ，３９Ｂの出口側から引き出された冷媒管路の合流管路４２が、圧縮機３１の入口側に接続されるようになっている。
【００１６】
機械室１８の前面の開口には、前面パネル６５が揺動開閉可能に装着されており、その下部側に、凝縮器３２等を冷却すべく外気の吸気口６６が形成されているとともに、同前面パネル６５の上部における正面から見た左側縁側には、排気口６７が開口されている。また、上部の右側の領域の裏面側には、各種電装品やマイクロコンピュータ等を格納したコントロールボックス６８が取り付けられており、その前面は、前面パネル６５に開口された窓孔６９に臨んでいる。
【００１７】
さて、この実施形態では、上記の冷凍回路３０において、ストレイナ３５の下流側の冷媒管路３６における水平部７０の途中位置に、磁石７５が嵌着されている。  
そのため、図６に示すように、冷媒管路３６の水平部７０の途中位置が分断され、両分断端７１の間に、磁石７５が内嵌された装着管７２が接続されている。詳細には、装着管７２は冷媒管路３６よりも一回り大きい金属パイプで、その両端に、分断端７１が内嵌可能となっている。磁石７５は、図７にも示すように、中心孔７６を有する比較的厚肉の環形に形成され、装着管７２の内周にほぼ緊密に嵌合可能となっている。
【００１８】
すなわち磁石７５は、装着管７２内の長さ方向のほぼ中央部に挿入され、磁石７５の挿入位置の前後両側において、装着管７２の管壁を内側に叩き出すことで係止部７３が形成され、磁石７５が軸線方向の移動が規制された状態で装着される。このように磁石７５が装着された装着管７２の両端に、冷媒管路３６の分断端７１が内側に緊密に嵌合され、溶接等によって接続されている。  
ここで特筆すべきは、磁石７５の中心孔７６の口径ｄは、冷媒管路３６の口径Ｄよりも小さく設定されている。
【００１９】
続いて、本実施形態の作用を説明する。  
冷却運転中は、以下のような制御が行われる。冷凍室１４Ａと冷蔵室１４Ｂとでは、それぞれ庫内サーミスタ（図示せず）によって庫内温度が検知され、庫内温度が予め設定された設定温度よりも高いと、対応する電磁弁３７Ａ，３７Ｂが開放されるとともに庫内ファン４１Ａ，４１Ｂが駆動される。電磁弁３７Ａ，３７Ｂのいずれか一方が開放されれば、冷凍ユニット６３（圧縮機３１）が駆動される。  
冷凍側の電磁弁３７Ａが開放されると、冷凍側の冷媒流通配管４０Ａを通る循環路が形成され、凝縮器３２から吐出された液冷媒が電磁弁３７Ａからキャピラリチューブ３８Ａに流通し、膨張した液冷媒が蒸発器３９Ａで蒸発する。この間に、図３に示すように、冷凍室１４Ａ内の空気が吸込口７８Ａから蒸発器室２０Ａ内に吸引されて蒸発器３９Ａを通過する間に熱交換により冷気が生成され、この冷気が吹出口７９Ａから吹き出されるといった循環流が生ずることで冷凍室１４Ａ内が冷却される。
【００２０】
冷蔵室１４Ｂ側の電磁弁３７Ｂが開放された場合も、同じように冷蔵側の冷媒流通配管４０Ｂを通る循環路が形成され、液冷媒が電磁弁３７Ｂからキャピラリチューブ３８Ｂに流通し、膨張した液冷媒が蒸発器３９Ｂで蒸発する。この間に、冷蔵室１４Ｂ内の空気が吸込口７８Ｂから蒸発器室２０Ｂ内に吸引されて蒸発器３９Ｂを通過する間に熱交換により冷気が生成され、この冷気が吹出口７９Ｂから吹き出されるといった循環流が生ずることにより冷蔵室１４Ｂ内が冷却される。  
なお、圧縮機３１が駆動される間、併せて凝縮器ファン３３が駆動され、機械室１８の前面パネル６５の吸気口６６から外気が収納スペース２１に取り込まれて、凝縮器３２、圧縮機３１等が冷却され、冷却に供した後の暖排気は、蒸発器室２０Ａの左側方のスペースに立ち上ったのち、前面パネル６５の排気口６７から機外前方に排出される。
【００２１】
冷凍室１４Ａと冷蔵室１４Ｂにおいて、それぞれ庫内温度が設定温度よりも低くなると、電磁弁３７Ａ，３７Ｂが閉じて冷媒の供給が停止するとともに庫内ファン４１Ａ，４１Ｂが停止することで冷却動作が停止される。両電磁弁３７Ａ，３７Ｂが閉じると、圧縮機３１の運転も停止される。  
端的には、冷凍室１４Ａと冷蔵室１４Ｂでは、庫内温度が設定温度よりも高いか低いかによって対応する電磁弁３７Ａ，３７Ｂが開閉制御され、各蒸発器３９Ａ，３９Ｂへの冷媒の供給と停止とが制御されることによって、それぞれほぼ設定温度に冷却されるようになっている。
【００２２】
この間、冷媒中には各種コンタミネーションが混じる可能性があるが、特に金属粉等の磁性を有する不純物ｘは、図６に示すように、ストレイナ３５の下流側の冷媒管路３６における水平部７０を流通する間に、磁石７５に吸着されて捕捉される。特に磁石７５が、冷媒管路３６の口径Ｄよりも小さい口径ｄの中心孔７６を有する形状であるから、オリフィス効果によって磁石７５の手前で冷媒の流速が落とされ、磁性不純物ｘがより確実に捕捉される。その結果、電磁弁３７Ａ，３７Ｂへの磁性不純物ｘの噛み込みが阻止され、閉弁不良等を起こすことなく正確に動作させることができる。したがって冷媒洩れが防止でき、冷凍室１４Ａ，冷蔵室１４Ｂがいわゆる冷やし過ぎとなるおそれがない。  
なお、磁性不純物ｘは、磁石７５の上流側の端面に吸着されやすく、仮に中心孔７６の孔面に吸着されたとしても、その不純物ｘは、ドライヤ３４やストレイナ３５のフィルタで捕捉できなかった小さなものに限られるから、磁石７５の中心孔７６を塞いで冷媒流通の抵抗が増すおそれはない。  
また、キャピラリチューブ３８Ａ，３８Ｂでの詰まり防止も期待できる。
【００２３】
上記のオリフィス効果によって磁石７５の手前で冷媒の流速が落ちるということは、それだけ冷媒が凝縮器３２を流通する間の時間が長くなり、冷媒の液化が促進される。  
この実施形態では、両電磁弁３７Ａ，３７Ｂの入口からそれぞれ接続管５３Ａ，５３Ｂが立ち上げられ、その上端に凝縮器３２から引き出された冷媒管路３６がチーズ５２を介して接続された構造となっていて、凝縮器３２から流出された冷媒は、接続管５３Ａ，５３Ｂ内を電磁弁３７Ａ，３７Ｂに向けて落とし込まれる状態となる。そのため、仮に冷媒が冷媒ガスを含んだ気液混合のものであったとしても、混じった冷媒ガスが接続管５３Ａ，５３Ｂの上方から冷媒管路３６に向けて逃がされつつ、液冷媒のみが液溜め部５７Ａ，５７Ｂに溜められるようになっているが、上記のように冷媒の液化が促進されることから、液溜め部５７Ａ，５７Ｂには、例えばチーズ５２の部分にまで達する程度に多量の液冷媒が溜められる。  
そのためキャピラリチューブ３８Ａ，３８Ｂには、継続して液冷媒のみを供給することができて抵抗なく流通させることができ、結果、液冷媒の必要な流量をより確実に確保できて、安定した冷却性能を発揮することができる。
【００２４】
＜実施形態２＞
次に、本発明の実施形態２を図８及び図９によって説明する。この実施形態では、磁石８０の形状に変更が加えられている。  
実施形態２の磁石８０は、装着管７２の内側にほぼ緊密に嵌る短寸の円筒形に形成され、ただしその中心孔８１は、上流側から下流側に向けてその口径が次第に小さくなるテーパ状に形成されている。もちろん、中心孔８１の出口側の口径ｄは、冷媒管路３６の口径Ｄ（図６参照）よりも小さくなっている。その他の構造は、上記実施形態１と同様である。
【００２５】
実施形態２の磁石８０を用いた場合、同様に冷媒中に混じった磁性を有する不純物ｘは、ストレイナ３５の下流側の冷媒管路３６における水平部７０を流通する間に、同磁石８０に吸着されて捕捉される。また、オリフィス効果によって磁石８０の手前で冷媒の流速を落とすことができ、もって磁性不純物ｘをより確実に捕捉し、また冷媒の液化を促進することができるが、中心孔８１は、その口径が出口に向けて漸減した形状であるから、冷媒の流通抵抗は比較的小さく抑えられる。  
なお、図１０の磁石８５に示すように、その外周面形状についても、中心孔８１の口径と同様に、上流側から下流側に向けて径が次第に小さくなるテーパ状としてもよい。
【００２６】
＜関連技術＞
図１１に示すように、ストレイナ３５の下流側における冷媒管路３６の水平部７０の途中位置に、磁性金属パイプから装着管９０が接続され、この装着管９０の外周に、厚肉の環形をなす磁石９１を嵌着すると、特に、磁石９１が嵌着された部分の装着管９０の内面部分において、冷媒中に混じった磁性を有する不純物ｘを吸着して捕捉することができる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）本発明は、電磁弁の入口側に液溜まり部を設けていないものにも同様に適用できる。この場合も、磁石を設けたことによるオリフィス効果で冷媒の液化が促進できるから、電磁弁に続くキャピラリチューブに対して十分な液冷媒を供給することができる。  
（２）また本発明は、減圧装置として、キャピラリチューブに代えて膨張弁を用いたものにも適用できる。膨張弁では、ガス冷媒が混じると膨張機能を損ねて冷却不良に繋がるおそれがあるが、オリフィス効果に伴って確実に液冷媒を供給することにより、正規の膨張機能を発揮させることができる。  
（３）さらに本発明は、除霜用のホットガスのバイパス管路に電磁弁を設けて、ホットガスの供給と停止を制御するもの等、要は電磁弁により冷媒の供給と停止とを制御する機能を備えた冷凍回路全般に広く適用することができる。
【図面の簡単な説明】
【００２８】
【図１】本発明の実施形態１に係る冷凍冷蔵庫の外観斜視図
【図２】機械室内の構造を示す斜視図
【図３】正面から見た断面図
【図４】冷凍回路の回路図
【図５】電磁弁の拡大断面図
【図６】磁石の配設部分の断面図
【図７】磁石の斜視図
【図８】実施形態２に係る磁石の配設部分の断面図
【図９】その磁石の斜視図
【図１０】変形例に係る磁石の斜視図
【図１１】関連技術に係る磁石の配設部分の断面図
【符号の説明】
【００２９】
３０…冷凍回路  ３１…圧縮機  ３２…凝縮器  ３６…冷媒管路  ３７Ａ，３７Ｂ…電磁弁  ３８Ａ，３８Ｂ…キャピラリチューブ（減圧装置）  ３９Ａ，３９Ｂ…蒸発器  ４０Ａ，４０Ｂ…冷媒流通配管  ５２…チーズ（分岐部）  ５３Ａ，５３Ｂ…接続管  ５７Ａ，５７Ｂ…液溜め部  ６３…冷却ユニット（冷凍装置）  ７０…（冷媒管路３６の）水平部  ７１…分断端  ７２…装着管  ７３…係止部  ７５…磁石  ７６…中心孔（通孔）  ８０…磁石  ８１…中心孔（通孔）  ８５…磁石
【図１】
2006275413.tif 000003
【図２】
2006275413.tif 000004
【図３】
2006275413.tif 000005
【図４】
2006275413.tif 000006
【図５】
2006275413.tif 000007
【図６】
2006275413.tif 000008
【図７】
2006275413.tif 000009
【図８】
2006275413.tif 000010
【図９】
2006275413.tif 000011
【図１０】
2006275413.tif 000012
【図１１】
2006275413.tif 000013